(57)【要約】【課題】フィルム掛止部を水平に保ち易く、フィルムの開閉を確実にできるトンネルハウスの開閉具を提供する。【解決手段】棒状のフィルム掛止部１０１と、該フィルム掛止部の一端に連設されフィルム掛止部１０１と交差する方向に伸びる棒状の吊下部１０２とを有し、吊下部１０２の先端にリング状の紐通部１０７を設けた開閉具において、吊下部１０２を太径部１０３と細径部１０４で構成し、固定手段１０８で締め付け固定することで、吊下部１０２の長さを伸縮可能にした。吊下部１０２の長さを変更することで、吊下位置を変え、フィルム掛止部１０１を水平又は水平に近い状態に保ち易くした。【選択図】        図１
2004313083.tif 000002
【特許請求の範囲】
【請求項１】
棒状のフィルム掛止部と、該フィルム掛止部の一端に連設されフィルム掛止部と交差する方向に伸びる棒状の吊下部とを有し、該吊下部が伸縮可能であることを特徴とするトンネルハウスの開閉具。
【請求項２】
前記吊下部が、太径部とこの太径部に進退自在な細径部とから構成され、前記太径部と前記フィルム掛止部とが１本の中空パイプをＶ型に折曲することによって構成されたことを特徴とする請求項１記載のトンネルハウスの開閉具。
【請求項３】
棒状のフィルム掛止部と、該フィルム掛止部の一端に連設されフィルム掛止部と交差する方向に伸びる棒状の支持部と、該支持部の先端に回動可能に軸支された吊下部とを有し、該吊下部が前記軸支部から先の長さを伸縮可能としたことを特徴とするトンネルハウスの開閉具。
【請求項４】
前記支持部が、太径部とこの太径部に進退自在な細径部とから構成され、前記太径部と前記フィルム掛止部とが１本の中空パイプをＶ型に折曲することによって構成されたことを特徴とする請求項３記載のトンネルハウスの開閉具。
【請求項５】
棒状のフィルム掛止部と、これに交差する棒状の吊下部とを有し、フィルム掛止部と吊下部とが前記交差部を回動可能に結合したことを特徴とするトンネルハウスの開閉具。
【請求項６】
上記吊下部がその長さを伸縮可能であることを特徴とする請求項５記載のトンネルハウスの開閉具。
【請求項７】
棒状の基部と、該基部の中間部に立設された吊下部と、該吊下部と前記基部とで画定される面に対して鋭角に交差する方向に前記基部に立設された棒状のフィルム掛止部とを有し、該フィルム掛止部と前記吊下部のうち少なくとも一方がその長さを伸縮可能であることを特徴とするトンネルハウスの開閉具。
【発明の詳細な説明】
【０００１】
【発明が属する技術分野】
本発明は、トンネル型ビニールハウスにおいて、フィルムの裾の取り付けてフィルムの開閉を容易にするトンネルハウスの開閉具に関する。
【０００２】
【従来の技術】
トマト、キュウリ、スイカ、メロン等々の野菜や果物には、トンネルハウスと呼ばれるトンネル型をしたビニールハウス内で栽培されるものが数多くある。図７は従来のトンネルハウスの斜視図である。トンネルハウスは、畑の畝をまたぐようにして半円形のパイプ３１を等間隔に地面に突き刺し、その上からフィルム３２を被せたものになっている。パイプ３１は、金属製又は樹脂製で、フィルム３２は薄いビニールフィルムである。フィルム３２は、パイプ３１の長さより長くして、フィルム３２の裾３３が地面との隙間を少なくして保温性を高めている。
【０００３】
以上は、フィルム３２が１枚のトンネルハウスであるが、フィルムを二重構造や三重構造にしているものもある。これは、ほぼ同心円状にパイプ３１を配置し、これらの上に２枚目、３枚目のフィルムを被せる構造である。このように多重構造にすることで、保温力を向上させることができるのである。
【０００４】
このようなトンネルハウスは、夜間等外気の温度が低い時には密閉されている方がよいが、晴天の日中はトンネルハウス内の気温が上がるため、フィルム３２の裾３３を持ち上げて内部の温度を下げるように調整する必要がある。温度管理を厳密に行う必要がある作物では、裾３３の上げ下ろしを頻繁に行わなければならず、重労働であった。
【０００５】
そこで、特許文献１（登録実用新案第３０２２５５１号）のような、トンネルハウスの開閉具が考案された。この開閉具は、直径約１ｃｍの丸い鋼棒をカットしてフィルム支持部を形成し、その一端に約４５゜の角度で細目の鋼棒を溶接などで接続して吊下部とし、その先端は、環状にねじ曲げて紐通し用のリングとしたものである。
【０００６】
このような開閉具をトンネルハウスの長さ方向に多数配置し、リングに紐を通し、紐を引っ張ることで全ての開閉具を一斉に昇降させて、フィルムの裾を持ち上げ、トンネルハウスの開閉を行うことができる。
【０００７】
しかし、この開閉具は、吊下部を形成する鋼棒が細いので、変形し易い。また、フィルム支持部では、クリップでフィルムを挟んで支持するのであるが、クリップがフィルム支持部を滑って先端から抜け落ち易いという問題があった。
【０００８】
そこで、本願の発明者は、先願である特願２００２−２１９２９０号で、図８に示すトンネルハウスの開閉具を提案している。この開閉具１０は、フィルム掛止部１２と吊下部１１とが、１本の中空パイプをＶ型に曲げることで形成されている。吊下部１１の先端には、紐通部１３が溶接などによって固定されている。フィルム掛止部１２には、クリップ１４が嵌合可能で、フィルム掛止部１２の先端には、キャップ状の抜止部材１５を設け、クリップ１４が抜け落ちないようにしている。角部に設けたリングは閉鎖用紐掛部１６で、ここに通した紐を引くことによって、開閉具１０を強制的に下ろすことができる。この開閉具１０は、吊下部１１が太くなっているので、十分な強度を有し、通常の使用では変形しない。
【０００９】
図９は、上記の開閉具１０の製造方法を説明する図である。
まず、図９（ａ）に示すように、鉄製の中空パイプ１７を所定の長さにカットする。また、中空パイプ１７の内径に挿入可能な太さの鉄製の中実丸棒１８を用意し、中空パイプ１７の折り曲げられる予定の位置に押し込む。
【００１０】
次に、図９（ｂ）に示すようにＶ字型に曲げる。Ｖ字型の一方がフィルム掛止部１２となり、他方が吊下部１１となる。このとき、中実丸棒１８が入っている部分を曲げるので、中空パイプ１７は角部で潰れることなく曲げることができる。
【００１１】
次に、図９（ｃ）に示すように、吊下部１１の先端に紐通部１３をはめ込み、溶接などによって固定する。この後、閉鎖用紐掛部１６をやはり溶接等で取り付け、メッキ液に浸漬してメッキ処理を行う。
【００１２】
図１０は、２重構造のトンネルハウスに開閉具１０を使用状態を示す断面図である。半円形のパイプ３１ａと３１ｂとが同心円状に配置されている。図示はしないが、各パイプ３１ａ，３１ｂには、それぞれビニールフィルムが被せられている。開閉具１０では、フィルム掛止部１２に２枚のフィルムの裾がクリップ１４（図８）で係止される。
【００１３】
図１１は、トンネルハウスにおける開閉具１０の使用状態を示す正面図である。フィルム３２は外側のパイプ３１ａに被せられたものである。図には表れないが、内側のパイプ３１ｂにも同様のフィルムが被せられている。外側の各パイプ３１ａには、紐掛具５２が取り付けられ、パイプ３１ａとパイプ３１ａとの間に開閉具１０が配置されている。紐掛具５２は、紐５１を挿通するだけのもので、パイプ３１ａの中間の高さに取り付けられてる。
開閉具１０は、そのフィルム掛止部１２をパイプ３１ａとパイプ３１ａとの中間の裾３３の下からトンネルハウス内に潜り込ませ、２つのクリップ１４とフィルム掛止部１２との間にフィルム３２と図示しない内側のパイプ３１ｂに被せられたフィルムとを挟んで固定する。次に紐５１を紐掛具５２と紐通部１３とに交互に通し末端を杭５３等に結んで固定する。
【００１４】
各パイプ３１ａの下部の地面にヘアピン４０を、その頭部が地上に出るように打ち込む。そして、別の紐５５を用意し、各ヘアピン４０と各開閉具１０の閉鎖用紐掛部１６とを交互に通し、端部を杭５３に結び固定する。
【００１５】
上記の準備が完了した後、紐５１を矢印の方向へ引くと、複数の開閉具１０が一斉に上昇し、同時に各フィルム掛止部１２に固定された裾３３が持ちあがってトンネルハウスを開き、内部の温度を調節することが可能となる。そして、紐５１を緩めれば、開閉具１０は自身の重みで下がることでトンネルハウスを閉じ、内部の熱を逃がさないようになる。開閉具１０が下がらない場合には、紐５５を矢印の方向に引っ張れば、強制的に下げることができる。このような開閉具１０を使用することにより、温度管理がきめ細かく、極めて容易にできるようになった。
【００１６】
【発明が解決しようとする課題】
しかしながら、前記の開閉具は、以下に説明するような問題があった。
まず、第１の問題は、フィルム掛止部１２が下向きになる問題である。図１１において、紐５１を矢印に示す水平方向に引っ張ると、図１１では、矢印に示すように斜め上方に引張力が加わり、各開閉具１０が一斉に上昇する。トンネルハウスのフィルムが１枚だけであれば、フィルム３２の裾３３をフィルム掛止部１２の奥側、つまり吊下部１１との境の角部近くにすれば、フィルム掛止部１２を水平に保ち易い。しかし、フィルムを２重にすると、フィルム掛止部１２の先端寄りにフィルムの荷重が加わり、フィルム掛止部１２は下向きになり易くなる。フィルム掛止部１２が下向きになると、内側のフィルムが十分に上がらなくなり、開きが不足することになる。
【００１７】
第２の問題は、メッキ液の排出の問題である。開閉具１０をメッキ処理する際にメッキ液に浸漬するが、そのときメッキ液は、フィルム掛止部１２の中空部分に入り、中実丸棒１８と中空パイプ１７との間に隙間があるので、吊下部１１の内部にも浸入する。メッキ処理が完了後にメッキ液から引き上げると、フィルム掛止部１２内のメッキ液は簡単に排出できるが、吊下部１１の空間内に入ったメッキ液は簡単には排出できない。このメッキ液は、長時間かけて中実丸棒１８と中空パイプ１７との間の隙間から少しずつ出てくることになる。そのため、このメッキ液の処理が問題になる。
【００１８】
本発明は、これらの問題の解決を図ったもので、フィルム掛止部を水平に保ち易く、フィルムの開閉を確実にできるトンネルハウスの開閉具を提供することを第１の目的としている。本発明の第２の目的は、メッキ液の排出が容易な開閉具を提供することにある。
【００１９】
【課題を解決するための手段】
上記の問題を解決するために本発明のトンネルハウスの開閉具は、棒状のフィルム掛止部と、該フィルム掛止部の一端に連設されフィルム掛止部と交差する方向に伸びる棒状の吊下部とを有し、該吊下部が伸縮可能であることを特徴としている。
【００２０】
前記吊下部が、太径部とこの太径部に進退自在な細径部とから構成され、前記太径部と前記フィルム掛止部とが１本の中空パイプをＶ型に折曲することによって構成することができる。
【００２１】
又は、棒状のフィルム掛止部と、該フィルム掛止部の一端に連設されフィルム掛止部と交差する方向に伸びる棒状の支持部と、該支持部の先端に回動可能に軸支された吊下部とを有し、該吊下部が前記軸支部から先の長さを伸縮可能としたことを特徴としている。
【００２２】
前記支持部が、太径部とこの太径部に進退自在な細径部とから構成され、前記太径部と前記フィルム掛止部とが１本の中空パイプをＶ型に折曲することによって構成されたものとしてもよい。
【００２３】
又は、棒状のフィルム掛止部と、これに交差する棒状の吊下部とを有し、フィルム掛止部と吊下部とが前記交差部を回動可能に結合したことを特徴としている。上記吊下部がその長さを伸縮可能である構成としてもよい。
【００２４】
または、棒状の基部と、該基部の中間部に立設された吊下部と、該吊下部と前記基部とで画定される面に対して鋭角に交差する方向に前記基部に立設された棒状のフィルム掛止部とを有し、該フィルム掛止部と前記吊下部のうち少なくとも一方がその長さを伸縮可能であることを特徴としている。
【００２５】
【発明の実施の形態】
以下に本発明の実施例について、図面を用いて説明する。
図１は、本発明における開閉具の第１実施例を示す平面図である。この開閉具１００は、鉄製の中空パイプからなるフィルム掛止部１０１と、これと交差する方向に延びる吊下部１０２とからなる。さらに、この吊下部１０２は、フィルム掛止部１０１と同じ中空パイプからなる太径部１０３と、この太径部１０３に進退自在に挿入される細径部１０４とから構成されている。
【００２６】
フィルム掛止部１０１と太径部１０３とは、１本の中空パイプから形成されたもので、図９で説明したのと同様に、中空パイプ内に中実丸棒１０５を挿入し、中空パイプの中実丸棒１０５のある部分を折り曲げることで、フィルム掛止部１０１と太径部１０３とに分けている。
【００２７】
細径部１０４の先端には、細径部１０４が短い場合に太径部１０３内に入り込まないようにするためのストッパを兼ねた円板１０６が溶接により固定され、この円板１０６に鉄線を環状に巻いた紐通部１０７を溶接などによって固定している。紐通部１０７は、鉄線をリング状に１．５回程度巻いて円周の１／３〜１／２程度で２本の線が重なるようにして、この重ね目から環の中に紐を出し入れできるようになっている。円周の１／３〜１／２程度と重なり部分が大きいので、挿通した紐が簡単に外れることを防止することができる。また、鉄線の両端部分をリングの外側に突出させておくことで、紐を挿通し易くしている。
【００２８】
太径部１０３の先端近傍には、押しねじからなる固定手段１０８が設けられている。また、フィルム掛止部１０１と太径部１０３との角部には、紐通部１０７と同じ形状の閉鎖用紐掛部１０９があり、フィルム掛止部１０１の先端には、クリップ１４（図８参照）の抜止部材１１０が嵌合される。この抜止部材１１０は、金属製でねじによりフィルム掛止部１０１に螺合させてもよく、合成樹脂製で単にはめ込むだけで固定するようにしてもよい。
【００２９】
以上の構成なので、細径部１０４を太径部１０３から出し入れすることで、吊下部１０２の全体の長さを伸縮でき、所望の長さのところで、固定手段１０８を締め付けることで、細径部１０４の位置を固定することができる。
【００３０】
紐通部１０７の中心からフィルム掛止部１０１に垂線ａを下ろし、この垂線ａからフィルム掛止部１０１の角部側の端部までの距離をＤとする。この距離Ｄは、吊下部１０２の長さが短くなると、短くなり、吊下部１０２の長さが長くなると長くなる。たとえば、図１において、紐通部１０７を実線の位置から最大に伸ばした仮想線で示す紐通部１０７’の位置に伸ばすと、垂線ａは垂線ｂの位置に移動し、距離Ａだけフィルム掛止部１０１の先端方向に移動することになる。
【００３１】
すなわち、トンネルハウスのフィルム３２（図１１）が二重や三重のフィルムで、フィルム掛止部１０１における掛止位置が先端側に移動してフィルム掛止部１０１の先端が下がるときは、吊下部１０２の長さを長くして、開閉具１００の吊下位置を先端側に移動すれば、フィルム掛止部１０１を水平な状態又は水平に近い状態に保つことができることとなる。
【００３２】
また、この実施例１は、抜止部材１１０を外し、細径部１０４から先端側を分離した状態で別々にメッキ液に浸漬され、メッキがされる。メッキ液から取り出されたとき、太径部１０３の先端と、フィルム掛止部１０１の先端は開放されているので、これらからメッキ液を簡単に排出することができる。
【００３３】
図２は、本発明における開閉具の第２実施例で、（ａ）は平面図、（ｂ）は（ａ）のＩＩ−ＩＩ線の拡大断面図である。この開閉具２００は、鉄製の中空パイプからなるフィルム掛止部２０１と、これと交差する方向に延びる支持部２１０と、この支持部２１０に支持された吊下部２２０とからなる。
【００３４】
支持部２１０は、フィルム掛止部２０１と同じ径の中空パイプからなる太径部２１１と、この太径部２１１に進退自在に挿入される細径部２１２とから構成されている。太径部２１１の先端近傍には押しねじからなる固定手段２１３があり、これによって細径部２１２を所望の位置で固定できるようになっている。
【００３５】
フィルム掛止部２０１と太径部２１１とは、１本の中空パイプから形成されたもので、図９で説明したのと同様に、中空パイプ内に中実丸棒を挿入し、この中実丸棒の部分を折り曲げることで、フィルム掛止部２０１と太径部２１１とに分けている。
【００３６】
細径部２１２は断面円形の丸棒であるが、図２（ｂ）に示すように、その先端部２１２ａは断面が矩形になって平面が形成され、平面の中央には孔２１２ｂが穿設されている。この孔と吊下部２２０の取付ブラケット２２１の孔２２１ａとを重ねて蝶ねじ２２２を挿通して締め付ける。取付ブラケット２２１には、中空パイプ２２１ｂがあって、ここにロッド２２３が貫通し、取付ブラケット２２１に設けられた押しねじからなる固定手段２２４で任意の位置でロッド２２３を固定可能となっている。ロッド２２３の先端には、ロッド２２３が取付ブラケット２２１を通過しないようにストッパを兼ねた円板２２５が溶接され、この円板２２５の先端面には、紐通部２２６を溶接などによって固定している。
【００３７】
以上の構成により、吊下部２２０は、蝶ねじ２２２による軸支部から先端までの距離Ｌが伸縮可能となっている。また、軸支部の蝶ねじ２２２を緩めることで、ロッド２２３は、蝶ねじ２２２を中心として回動自在である。
【００３８】
フィルム掛止部２０１と太径部２１１との境界点をＯとし、点Ｏと紐通部２２６の中心とを直線で結び、この直線とフィルム掛止部２０１とが成す角をαとする。そして、軸支部を緩めて回動し、かつ、固定手段２２４を緩めて距離Ｌを変化させ、仮想線に示す紐通部２２６’の位置にを移動したとすると、上記の角αは、角βに変化している。これによって、図１に示す距離Ａと同じ変化を与えることができ、フィルム掛止部２０１を水平又は水平に近い状態に保持することができる。
【００３９】
なお、角度をαからβに変化させるだけであれば、蝶ねじ２２２を緩めて、ここを回動させるだけでも可能である。一方、角度をαのままとし、距離Ｌを変化させるだけでも、実施例１と同じ効果を奏することができる。角度と距離の双方を変化させることによって、実施例１より大きく吊り下げ位置を変えることが可能となる。
【００４０】
図３は、本発明における開閉具の第３実施例を示す平面図である。この図に示す開閉具３００は、鉄製の中空パイプからなるフィルム掛止部３０１と、これと交差する方向に延びる吊下部３０２とからなる。さらに、吊下部３０２は、フィルム掛止部１０１と同じ径の中空パイプからなる太径部３０３と、この太径部３０３に進退自在に挿入される細径部３０４とから構成されている。フィルム掛止部３０１と太径部３０３とは、それぞれ同じ太さの中空パイプから形成されたもので、その一端を潰して平面とし、各平面に貫通孔を穿け、両平面を重ねてこれらの貫通孔を重ね、ねじ３０５を挿通して締め付けて固定できるようにした構造である。
【００４１】
細径部３０４の先端には、細径部３０４が太径部３０３内に入り込まないようにストッパを兼ねた円板３０６が溶接などにより固定され、この円板３０６の先端面に鉄線を環状に巻いた紐通部３０７を溶接などによって固定している。
【００４２】
太径部３０３の先端近傍には、押しねじからなる固定手段３０８が設けられ、細径部３０４を引き出して所望の長さになったとき、この固定手段３０８を締め付けて固定する。
【００４３】
この実施例は、ボルトとナットからなるねじ３０５を緩めることで、フィルム掛止部３０１と太径部３０３との成す角θを、任意の角度に変化させることができる。勿論、吊下部３０２の長さを変化させることもできる。
【００４４】
図４は、本発明における開閉具の第４実施例を示す斜視図である。この図に示す開閉具４００は、中空パイプからなる基部４０１と、この基部４０１と交差する方向に設けられた吊下部４１０と、吊下部４１０と基部４０１とで画定される面に対して角θで交差する方向に設けられた棒状のフィルム掛止部４２０とから構成される。角θは鋭角である。基部の両端には、クリップ１４（図８参照）の抜止部材４０２が嵌合されている。
【００４５】
吊下部４１０は、基部４０１と同じ径で基部４０１と一体になった中空の太径部４１１と、雄ねじ４１２と、ナットからなる固定手段４１３と、雄ねじ４１２の先端に固定された円板４１４と、円板に固定された紐通部４１５とから構成されている。太径部４１１は、中空の内側には雌ねじが刻設されていて、これが雄ねじ４１２と螺合する。雄ねじ４１２の長さが所望の長さになったら、固定手段４１３を太径部４１１の先端面に締め付けて雄ねじ４１２の長さを固定することができる。
【００４６】
このような構成により、吊下部４１０の長さを伸縮させることによって、図１の実施例と同様に開閉具４００の吊り下げ位置を移動することができ、フィルム掛止部４２０を水平乃至は水平に近い状態に保持することができる。
【００４７】
フィルム掛止部４２０は、伸縮可能な３段式になっている。すなわち、基部４０１と同径の中空パイプを基部４０１に一体的に結合した太径部４２１と、これに進退自在に挿入された中空パイプの中径部４２２と、この中径部４２２に進退自在に挿入された細径部４２３とを有する。この細径部４２３は中空でも中実でもよい。先端にキャップ４２４が取り付けられている。
【００４８】
太径部４２１、中径部４２２、細径部４２３には、それぞれ一定の間隔で複数のピンホール４２１ａ，４２２ａ，４２３ａが穿設されている。そして、太径部４２１の例えば先端のピンホール４２１ａと、中径部４２２のいずれかのピンホール４２２ａとを重ね、ピン４２５を挿通すると、太径部４２１と中径部４２２との連結位置が固定される。同様に、中径部４２２の先端のピンホール４２２ａと細径部４２３のいずれかのピンホール４２３ａとを重ねてピン４２６を挿通すると、中径部４２２と細径部４２３との連結位置が固定される。そして、最終的には、フィルム掛止部４２０全体の長さが決定されることになる。このような構成にすると、フィルム掛止部４２０の長さを多様に変更することができ、木目の細かい調整が可能となる。
【００４９】
この実施例におけるフィルム掛止部４２０の伸縮可能な構成は一例であり、図１の実施例のような押しねじからなる固定手段１０８で固定する構成など、多様な構成が可能である。また、この実施例のフィルム掛止部４２０の構成を、図１から図３の実施例に適用することもできる。
【００５０】
この実施例の開閉具４００は、基部４０１に吊下部４１０の太径部４１１とフィルム掛止部４２０の太径部４２１とを取り付けた状態でメッキ処理がされる。そのため、メッキ液は基部４０１の両端と、太径部４１１，４２１の開口端から簡単に排出することができる。雄ねじ４１２から紐通部４１５まで一体化したもの、固定手段４１３、中径部４２２及び細径部４２３は、それぞれ別個にメッキ処理される。
【００５１】
図５は、本発明における開閉具の第５実施例を示す斜視図である。この図に示す開閉具５００は、中空パイプからなる基部５０１と、この基部５０１と交差する方向に設けられた支持部５１０と、吊下部５２０と、この吊下部５２０と基部５０１とで画定される面に対して鋭角で交差する方向に設けられた棒状のフィルム掛止部５３０とから構成される。
【００５２】
基部５０１と太径部５１１，５３１は、図４の基部４０１と太径部４１１，４２１と同じである。支持部５１０と吊下部５２０とは、図２の実施例に示す支持部２１０と吊下部２２０と同じである。フィルム掛止部５３０は、図４のフィルム掛止部４２０と同じである。
【００５３】
図６は、本発明における開閉具の第６実施例を示す平面図である。この開閉具１２０は、基本的な構成は図１に示す開閉具１００と共通している。そこで、共通する構成については同じ符号を付し、異なる構成を主体に説明する。
【００５４】
この開閉具１２０は、太径部１０３の中間に突起１１１を設け、この突起１１１と円板１０６との間にコイルスプリング１１２を取り付けている。この構成によって、吊下部１０２の紐通部１０７に加わる引張力に応じて細径部１０４が自動的に伸縮し、開閉具１２０の吊り下げ位置を移動させることができる。
【００５５】
この実施例では、コイルスプリング１１２を吊下部１０２の外側に取り付けたが、太径部１０３の内部に嵌装することもできる。
【００５６】
【発明の効果】
以上に説明したように本発明のトンネルハウスの開閉具は、棒状のフィルム掛止部と、該フィルム掛止部の一端に連設されフィルム掛止部と交差する方向に伸びる棒状の吊下部とを有し、該吊下部が伸縮可能である構成なので、フィルム掛止部の先端が下向きになるとき、吊下部の長さを長くして吊下位置を移動することができ、フィルム掛止部を水平又は水平に近い状態にしてフィルムの開閉を確実に行うことができる。
【００５７】
前記吊下部が、太径部とこの太径部に進退自在な細径部とから構成され、前記太径部と前記フィルム掛止部とが１本の中空パイプをＶ型に折曲することによって構成すると、メッキ処理をした場合でも、メッキ液を簡単かつ確実に排出することができる。
【００５８】
吊下部を支持部の先端に回動可能に取り付けたり、伸縮自在にしたり、フィルム掛止部を伸縮可能な構成にしたり、することで、吊下位置を多様に変更することができ、多様な使用状況において、常にフィルム支持部を水平乃至水平に近い状態に保つことが可能となる。
【図面の簡単な説明】
【図１】本発明における開閉具の第１実施例を示す平面図である。
【図２】本発明における開閉具の第２実施例で、（ａ）は平面図、（ｂ）は（ａ）のＩＩ−ＩＩ拡大断面図である。
【図３】本発明における開閉具の第３実施例を示す平面図である。
【図４】本発明における開閉具の第４実施例を示す斜視図である。
【図５】本発明における開閉具の第５実施例を示す斜視図である。
【図６】本発明における開閉具の第６実施例を示す平面図である。
【図７】従来のトンネルハウスの斜視図である。
【図８】先願に記載されたトンネルハウスの開閉具を示す平面図である。
【図９】図８のトンネルハウスの開閉具の製造方法を説明する図である。
【図１０】２重構造のトンネルハウスに開閉具を使用状態を示す断面図である。
【図１１】トンネルハウスにおける開閉具の使用状態を示す正面図である。
【符号の説明】
１００，１２０，２００，３００，４００，５００    トンネルハウスの開閉具１０１，２０１，３０１，４２０，５３０    フィルム掛止部
１０２，２２０，３０２，４１０，５２０    吊下部
１０３，３０３，４１１，５１１            （吊下部の）太径部
１０４，３０４    （吊下部の）細径部
２１１，４１１，５１１    （支持部の）太径部
２１２    （支持部の）細径部
【図１】
2004313083.tif 000003
【図２】
2004313083.tif 000004
【図３】
2004313083.tif 000005
【図４】
2004313083.tif 000006
【図５】
2004313083.tif 000007
【図６】
2004313083.tif 000008
【図７】
2004313083.tif 000009
【図８】
2004313083.tif 000010
【図９】
2004313083.tif 000011
【図１０】
2004313083.tif 000012
【図１１】
2004313083.tif 000013